(57)【特許請求の範囲】
【請求項１】
縫製すべき刺繍模様を糸色ごとに分割した部分模様と、該部分模様に関する補助情報であって少なくとも前記糸色を識別表示する糸色識別表示を有する補助情報と、を表示するための２値表示データを少なくとも含む刺繍データに対する処理を行う刺繍データ処理装置であって、
前記刺繍データに対し、一の部分模様についての前記２値表示データから、前記補助情報に対応するデータ部分を除いた該一の部分模様に対する部分模様２値表示データと、前記糸色を識別表示するための糸色識別２値表示データと、を抽出する抽出手段と、
前記抽出手段により抽出された前記糸色識別２値表示データに基づき、該糸色識別２値表示データに対応する糸色を判定する糸色判定手段と、
前記抽出手段により抽出された前記部分模様２値表示データを、該部分模様について前記糸色判定手段により判定された前記糸色に対応してカラー表示データに変換する変換手段と、一の刺繍模様を構成する前記部分模様に対応する前記カラー表示データを合成して該一の刺繍模様に対応する刺繍模様カラー表示データを生成する合成手段と、前記合成手段により生成された刺繍模様カラー表示データに対する表示処理を行う表示処理手段と、を備えることを特徴とする刺繍データ処理装置。
【請求項２】
前記糸色判定手段は、複数の糸色識別表示に対応して予め保持されている糸色２値表示データテーブルを参照して、該糸色識別表示が一致する場合の糸色を判定することを特徴とする請求項１に記載の刺繍データ処理装置。
【請求項３】
前記合成手段は、前記一の刺繍模様を構成する前記部分模様に対応する前記カラー表示データを順次合成し、それぞれのカラー表示データが互いに重なる表示領域においては、縫製順が先行するカラー表示データに、縫製順が後続のカラー表示データを上書きするようにして前記刺繍模様カラー表示データを生成することを特徴とする請求項１又は請求項２に記載の刺繍データ処理装置。
【請求項４】
外部記録媒体に記録されている前記刺繍データを読み取る読み取り手段を更に備えることを特徴とする請求項１から請求項３の何れかに記載の刺繍データ処理装置。
【請求項５】
前記外部記録媒体は、前記刺繍データ処理装置又は前記刺繍データ処理装置に接続された周辺装置に着脱自在、あるいは前記刺繍データ処理装置とネットワークを介して接続自在な記録媒体であることを特徴とする請求項４に記載の刺繍データ処理装置。
【請求項６】
前記部分模様２値表示データはビットマップデータであり、前記変換手段は、表示画素ごとに２値画素データを前記糸色に対応する多値画素データに変換することを特徴とする請求項１から請求項５の何れかに記載の刺繍データ処理装置。
【請求項７】
前記抽出手段は、前記２値表示データに対し予め設定された切断座標データに従って、前記部分模様２値表示データを切り出して抽出することを特徴とする請求項６に記載の刺繍データ処理装置。
【請求項８】
前記表示処理手段の表示画面には、前記合成手段により生成された複数の刺繍模様カラー表示データを並べてカラー表示する刺繍模様選択画面と、選択された一の刺繍模様に対し前記合成手段により生成された刺繍模様カラー表示データをカラー表示する刺繍模様確認画面とが含まれることを特徴とする請求項１から請求項７の何れかに記載の刺繍データ処理装置。
【請求項９】
前記刺繍模様確認画面には、選択された一の刺繍模様を構成する前記部分模様に対応する前記カラー表示データと、この部分模様に関する前記補助情報が更に表示されることを特徴とする請求項８に記載の刺繍データ処理装置。
【請求項１０】
前記刺繍模様確認画面に表示される補助情報には、少なくとも前記部分模様についての糸色識別表示が含まれることを特徴とする請求項９に記載の刺繍データ処理装置。
【請求項１１】
前記刺繍模様確認画面に表示される補助情報には、少なくとも前記部分模様についての縫製順序を示す表示が含まれることを特徴とする請求項９又は請求項１０に記載の刺繍データ処理装置。
【請求項１２】
前記刺繍模様確認画面に表示される補助情報には、少なくとも前記部分模様についての縫製時間を示す表示が含まれることを特徴とする請求項９から請求項１１の何れかに記載の刺繍データ処理装置。
【請求項１３】
前記刺繍模様確認画面に表示される補助情報は、選択された一の刺繍模様を構成する全ての部分模様について、同色で表示されることを特徴とする請求項９から請求項１２の何れかに記載の刺繍データ処理装置。
【請求項１４】
前記補助情報の表示は、白又は黒の一方により行われることを特徴とする請求項１３に記載の刺繍データ処理装置。
【請求項１５】
前記表示処理手段は、カラー表示可能な液晶表示装置を含んで構成されることを特徴とする請求項１から請求項１４の何れかに記載の刺繍データ処理装置。
【発明の詳細な説明】
【０００１】
【発明の属する技術分野】
本発明は、加工布に縫製すべき刺繍模様を、該刺繍模様を糸色ごとに分割した部分模様と共にカラー表示可能な刺繍データ処理装置の技術分野に属する。
【０００２】
【従来の技術】
従来から、加工布に対し多数の刺繍模様を縫製可能な刺繍ミシンが広く用いられている。そして、予め用意された多数の刺繍模様の中から特定の刺繍模様を選択できるとともに、これら刺繍模様を視覚的に認識させるため表示手段に表示を行うタイプの刺繍ミシンも普及しつつある。
【０００３】
一般に、このような刺繍ミシンは、多数の刺繍模様についての表示用データ等の刺繍データを内臓メモリに記憶する場合のほか、刺繍データが記録された外部ＲＯＭカードを用い、これを読み取り可能となるよう構成されている。これにより、刺繍ミシンの使用者は好みに応じた刺繍データが格納される外部ＲＯＭカードを入手すればよく、刺繍ミシンにて交換可能に刺繍データを扱うことができる点で利便性が高い。
【０００４】
また、刺繍模様を表示させるための表示手段としてモノクロ表示可能な液晶ディスプレイを搭載する刺繍ミシンも提供されている。これに対応して、外部ＲＯＭカードには前記液晶パネルの表示用の２値データが刺繍模様ごとに格納されている。この外部ＲＯＭカードから２値データを読み出して液晶ディスプレイに表示させれば、縫製すべき刺繍模様の選択や確認を容易にして刺繍ミシンの使用者の作業を支援するのに役立つ。
【０００５】
【発明が解決しようとする課題】
最近、刺繍模様の表示をより現実に近づけるために上記表示手段に対するカラー化の要望が高まっている。そのため、上記液晶ディスプレイとしてカラー表示可能なものを刺繍ミシンに搭載することになる。この際、外部ＲＯＭカードをカラー対応させるべく、刺繍模様のカラー表示データを格納したものを供給する必要がある。
【０００６】
しかしながら、モノクロ表示タイプの刺繍ミシンを置き換えてカラー表示対応の刺繍ミシンを導入する場合、これに合わせてカラー表示に対応していない外部ＲＯＭカードを直ちにカラー表示対応のものに置き換えるのは、コスト面などから困難である。また、カラー表示に対応していない外部ＲＯＭカードをカラー表示対応の刺繍ミシンで読み取って刺繍模様をモノクロ表示することは比較的容易であるが、これではカラー表示の利点を生かすことができない。
【０００７】
また、２値表示データをカラー表示データに変換させる場合に、刺繍模様について糸色ごとの部分模様の２値表示データには、部分模様そのものの表示データに加え、部分模様に関連する糸色名称や縫製順等の各種補助情報についての表示データが含まれることがある。そして、部分模様そのものは糸色に対応してカラー化し、各種補助情報は糸色とは無関係にカラー化する必要があるが、両方のデータが混在しているため、カラー表示データへの変換は容易ではない。
【０００８】
そこで、本発明はこのような問題に鑑みなされたものであり、カラー表示対応ではない記録媒体の刺繍データを用いる場合であっても、部分模様と各種補助情報を識別した上で、刺繍模様のカラー表示処理を行うことができる刺繍データ処理装置を提供することを目的とする。
【０００９】
【課題を解決するための手段】
上記課題を解決するために、請求項１に記載の刺繍データ処理装置は、縫製すべき刺繍模様を糸色ごとに分割した部分模様と、該部分模様に関する補助情報であって少なくとも前記糸色を識別表示する糸色識別表示を有する補助情報と、を表示するための２値表示データを少なくとも含む刺繍データに対する処理を行う刺繍データ処理装置であって、前記刺繍データに対し、一の部分模様についての前記２値表示データから、前記補助情報に対応するデータ部分を除いた該一の部分模様に対する部分模様２値表示データと、前記糸色を識別表示するための糸色識別２値表示データと、を抽出する抽出手段と、前記抽出手段により抽出された前記糸色識別２値表示データに基づき、該糸色識別２値表示データに対応する糸色を判定する糸色判定手段と、前記抽出手段により抽出された前記部分模様２値表示データを、該部分模様について前記糸色判定手段により判定された前記糸色に対応してカラー表示データに変換する変換手段と、一の刺繍模様を構成する前記部分模様に対応する前記カラー表示データを合成して該一の刺繍模様に対応する刺繍模様カラー表示データを生成する合成手段と、前記合成手段により生成された刺繍模様カラー表示データに対する表示処理を行う表示処理手段と、を備えることを特徴とする。
【００１０】
この発明によれば、刺繍データ処理装置において、刺繍データ中の２値表示データから補助情報に対応するデータ部分を除いた部分模様に対する部分模様２値表示データと、補助情報として含まれる糸色識別２値表示データと、を読み出し、当該糸色識別２値表示データに対応する糸色を判定する。そして、この糸色に対応して部分模様２値表示データが刺繍模様カラー表示データに変換される。従って、部分模様２値表示データ中に部分模様に対応する糸色データが存在しない場合でも、補助情報の糸色識別２値表示データから糸色識別表示に対応する糸色を判断でき、糸色データに制約されず豊富なカラー表現で刺繍模様表示が行われる。
【００１１】
請求項２に記載の刺繍データ処理装置は、請求項１に記載の刺繍データ処理装置において、前記糸色判定手段は、複数の糸色識別表示に対応して予め保持されている糸色２値表示データテーブルを参照して、該糸色識別表示が一致する場合の糸色を判定することを特徴とする。
【００１２】
この発明によれば、刺繍データ処理装置において、刺繍データ中の２値表示データから補助情報に対応するデータ部分を除いた部分模様に対する部分模様２値表示データと、補助情報として含まれる糸色識別２値表示データと、を読み出し、糸色２値表示データテーブルを参照して糸色識別表示の一致を判断して、対応する糸色を判定する。そして、この糸色に対応して部分模様２値表示データが刺繍模様カラー表示データに変換される。従って、部分模様２値表示データ中に部分模様に対応する糸色データが存在しない場合でも、補助情報の糸色識別２値表示データから糸色識別表示に対応する糸色を判断でき、糸色データに制約されず豊富なカラー表現で刺繍模様表示が行われる。
【００１３】
請求項３に記載の刺繍データ処理装置は、請求項１又は請求項２に記載の刺繍データ処理装置において、前記合成手段は、前記一の刺繍模様を構成する前記部分模様に対応する前記カラー表示データを順次合成し、それぞれのカラー表示データが互いに重なる表示領域においては、縫製順が先行するカラー表示データに、縫製順が後続のカラー表示データを上書きするようにして前記刺繍模様カラー表示データを生成することを特徴とする。
【００１４】
この発明によれば、糸色ごとの部分模様には縫製順が定められており、互いに表示領域が重なる場合は、この縫製順が後続するものを次々と上書きしていくようにした。従って、簡易な処理を用いて実際の縫製に適合した刺繍模様表示が行われる。
【００１５】
請求項４に記載の刺繍データ処理装置は、請求項１から請求項３の何れかに記載の刺繍データ処理装置において、外部記録媒体に記録されている前記刺繍データを読み取る読み取り手段を更に備えることを特徴とする。
【００１６】
この発明によれば、外部記録媒体に記録される刺繍データを読み取って表示処理に利用するようにした。従って、データ交換等が簡易に行われ、多数の刺繍模様を視認して所望の刺繍模様を容易に選択可能となる。
【００１７】
請求項５に刺繍データ処理装置は、請求項４に記載の刺繍データ処理装置において、前記外部記録媒体は、前記刺繍データ処理装置又は前記刺繍データ処理装置に接続された周辺装置に着脱自在、あるいは前記刺繍データ処理装置とネットワークを介して接続自在な記録媒体であることを特徴とする。
【００１８】
この発明によれば、刺繍データ処理装置自体又は周辺装置に着脱される記録媒体、ネットワーク接続される記録媒体から刺繍データを読み取って表示処理するようにした。従って、データの入手経路は多様であり、利用可能な刺繍模様のバリエーションを増加させることができる。
【００１９】
請求項６に記載の刺繍データ処理装置は、請求項１から請求項５の何れかに記載の刺繍データ処理装置において、前記部分模様２値表示データはビットマップデータであり、前記変換手段は、表示画素ごとに２値画素データを前記糸色に対応する多値画素データに変換することを特徴とする。
【００２０】
この発明によれば、ビットマップデータである２値表示データを画素ごとに変換して糸色に対応する多値画素データを得るようにした。従って、２値表示データから多値表示データへの変換は、単純な処理により簡単に行うことができる。
【００２１】
請求項７に記載の刺繍データ処理装置は、請求項６に記載の刺繍データ処理装置において、前記抽出手段は、前記２値表示データに対し予め設定された切断座標データに従って、前記部分模様２値表示データを切り出して抽出することを特徴とする。
【００２２】
この発明によれば、刺繍データ中の２値表示データには予め切断座標データが設定され、これに従って２値表示データから部分模様２値表示データを切り出し抽出する。従って、２値表示データから簡易な処理で不要な補助情報を除外することができる。
【００２３】
請求項８に記載の刺繍データ処理装置は、請求項１から請求項７の何れかに記載の刺繍データ処理装置において、前記表示処理手段の表示画面には、前記合成手段により生成された複数の刺繍模様カラー表示データを並べてカラー表示する刺繍模様選択画面と、選択された一の刺繍模様に対し前記合成手段により生成された刺繍模様カラー表示データをカラー表示する刺繍模様確認画面とが含まれることを特徴とする。
【００２４】
この発明によれば、複数の刺繍模様表示データが画面上に並べられ刺繍模様選択画面としてカラー表示されると共に、選択された一の刺繍模様についての刺繍模様表示データが刺繍模様確認画面としてカラー表示される。従って、使用者は所望の刺繍模様を容易に選び出すことができると共に、刺繍模様についての縫製手順や糸色を視覚的に確認可能となる。
【００２５】
請求項９に記載の刺繍データ処理装置は、請求項８に記載の刺繍データ処理装置において、前記刺繍模様確認画面には、選択された一の刺繍模様を構成する前記部分模様に対応する前記カラー表示データと、この部分模様に関する前記補助情報が更に表示されることを特徴とする。
【００２６】
この発明によれば、選択された刺繍模様についての部分模様に対応して、そのカラー表示データと、部分模様に関する補助情報が刺繍模様確認画面上に表示される。従って、刺繍模様の部分ごとに糸色名称等の有用な情報が視覚的に把握できる。
【００２７】
請求項１０に記載の刺繍データ処理装置は、請求項９に記載の刺繍データ処理装置において、前記刺繍模様確認画面に表示される補助情報には、少なくとも前記部分模様についての糸色識別表示が含まれることを特徴とする。
【００２８】
この発明によれば、部分模様に関する補助情報として、糸色識別表示が刺繍模様確認画面上に表示される。従って、刺繍模様の部分模様ごとに縫製に用いる糸色を明確に認識できる。
【００２９】
請求項１１に記載の刺繍データ処理装置は、請求項９又は請求項１０に記載の刺繍データ処理装置において、前記刺繍模様確認画面に表示される補助情報には、少なくとも前記部分模様についての縫製順序を示す表示が含まれることを特徴とする。
【００３０】
この発明によれば、部分模様に関する補助情報として、縫製順序を示す表示が刺繍模様確認画面上に表示される。従って、刺繍模様の部分模様ごとに縫製順序を容易に把握できる。
【００３１】
請求項１２に記載の刺繍データ処理装置は、請求項９から請求項１１の何れかに記載の刺繍データ処理装置において、前記刺繍模様確認画面に表示される補助情報には、少なくとも前記部分模様についての縫製時間を示す表示が含まれることを特徴とする。
【００３２】
この発明によれば、部分模様に関する補助情報として、縫製時間を示す表示が刺繍模様確認画面上に表示される。従って、刺繍模様の部分模様ごとに縫製に要する時間を明確に認識できる。
【００３３】
請求項１３に記載の刺繍データ処理装置は、請求項９から請求項１２の何れかに記載の刺繍データ処理装置において、前記刺繍模様確認画面に表示される補助情報は、選択された一の刺繍模様を構成する全ての部分模様について、同色で表示されることを特徴とする。
【００３４】
この発明によれば、選択された刺繍模様についての部分模様に関する補助情報は、全て同色で刺繍模様確認画面上に表示される。従って、刺繍模様確認画面では、部分模様と補助情報を明確に区別することができる。
【００３５】
請求項１４に記載の刺繍データ処理装置は、請求項１３に記載の刺繍データ処理装置において、前記補助情報の表示は、白又は黒の一方により行われることを特徴とする。
【００３６】
この発明によれば、選択された刺繍模様についての部分模様に関する補助情報は、全て白又は黒の一方の色で刺繍模様確認画面上に表示される。従って、刺繍模様確認画面では、補助情報が見やすく表示され、部分模様と補助情報を明確に区別することができる。
【００３７】
請求項１５に記載の刺繍データ処理装置は、請求項１から請求項１４の何れかに記載の刺繍データ処理装置において、前記表示処理手段は、カラー表示可能な液晶表示装置を含んで構成されることを特徴とする。
【００３８】
この発明によれば、刺繍データ処理装置にはカラー表示可能な液晶表示装置が搭載され、これに刺繍模様表示が行われる。従って、刺繍模様を良好な画質で表示できると共に、小型化、低消費電力化に好適な刺繍データ処理装置が提供される。
【００３９】
【発明の実施の形態】
以下、本発明の好適な実施の形態を図面に基づいて説明する。以下の説明では、刺繍データが記録された記録媒体としての外部ＲＯＭカードと、この外部ＲＯＭカードを読み取って刺繍模様の表示処理及び縫製処理を行う刺繍ミシンに対して本発明を適用した場合の実施の形態を説明する。なお、この刺繍ミシンは、刺繍模様のカラー表示処理を行う刺繍データ処理装置として機能すると共に、刺繍模様の縫製処理を行う縫製装置としても機能する。
【００４０】
図１は、本実施形態に係る刺繍ミシンの外観を示す図である。図１に示すように、本実施形態に係る刺繍ミシンは、実際に加工布に縫製を行う縫針１と、加工布を縫製して刺繍を形成する際に加工布を保持する刺繍枠２と、縫製に伴い加工布を横方向あるいは縦方向に自在に移動させるキャリッジ３とを備えている。なお、キャリッジ３の代わりに、送り歯を用いて加工布を移動させるようにしてもよい。
【００４１】
また、刺繍ミシンのボディ４の側面側には、刺繍ミシンの電源をオンオフさせるための電源スイッチ５と、刺繍データが記録される外部ＲＯＭカード１０を着脱可能なカードスロット６が設けられている。一方、ボディ４の前面側には、カラー表示可能な表示手段であると共にタッチパネルも兼ねるＬＣＤ（Liquid Crystal Display）パネル７と、縫製の開始時あるいは終了時に押下されるスタート／ストップボタン８と、縫針１を手動で上下に動かす際に押下される針上下ボタン９が設けられている。
【００４２】
図２は、本実施形態に係る刺繍ミシンのハードウェア構成を示すブロック図である。図２に示すように、本実施形態に係る刺繍ミシンは、全体の動作を総括的に制御するＣＰＵ１１と、ＣＰＵ１１における処理に必要なデータ等を一時的に保持するＲＡＭ１２と、ＣＰＵ１１で実行される制御プログラムや各種の固定データを格納するＲＯＭ１３を備えている。
【００４３】
ＣＰＵ１１には、図示しないインターフェースを介して、スタート／ストップボタン８が押下される際の検出信号と針上下ボタン９が押下される際の検出信号がそれぞれ入力される。また、ＬＣＤパネル７に一体化されているタッチパネル７ａにて使用者に押されたキーに対応する検出信号が入力される。このタッチパネル７ａは透明電極が縦横に並べられて構成され、使用者が触れた位置の検出が可能となっている。また、図１では図示されない各種キー１４に対応する検出信号が入力される更に、本実施形態に係る刺繍ミシンは、カードスロット６に挿入された外部ＲＯＭカード１０が接続されており、図示しないインターフェースを介してＣＰＵ１１に読み取った刺繍データ等が入力される。
【００４４】
ＣＰＵ１１は、図示しないインターフェースを介して、メインモータ１５、Ｘ方向パルスモータ１６、Ｙ方向パルスモータ１７に制御信号を送出して動作を制御する。メインモータ１５は、図示しない駆動機構を介して縫針１を駆動して縫製動作を行わせ、Ｘ方向パルスモータ１６とＹ方向パルスモータ１７は、刺繍枠２をＸＹ座標データに従って横方向（Ｘ軸）又は縦方向（Ｙ軸）に所定の移動量だけ移動させる。
【００４５】
また、ＣＰＵ１１は、ＬＣＤパネル７に対する表示制御を行う。ＬＣＤパネル７には、刺繍ミシンの使用者に視認させるための各種画面がカラー表示される。例えば、複数の刺繍模様を並べて表示する刺繍模様選択画面や選択した刺繍模様の縫製手順等を示す刺繍模様確認画面などがあるが、より詳しくは後述する。
【００４６】
図３は、本実施形態に係る刺繍ミシンにより読み取られるモノクロ表示対応の外部ＲＯＭカード１０のデータ構造を示す図である。本実施形態においては、この外部ＲＯＭカード１０にＮ個の刺繍模様についての糸色に関するデータ、モノクロ表示に対応する表示データ、縫製データなどからなる刺繍データが所定のフォーマットに従って記録されている。なお、個々の刺繍模様に対して刺繍模様１〜刺繍模様Ｎのように番号を付けて表記する。
【００４７】
図３に示すように、外部ＲＯＭカード１０には、先頭部分から、ヘッダ領域１０ａ、色数データ領域１０ｂ、糸色コード領域１０ｃ、２値表示データ領域１０ｄ、縫製データ領域１０ｅの順で領域が区分されている。
【００４８】
ヘッダ領域１０ａは、主に後続の各領域のアドレス情報が記録されたアドレス情報記録領域に対応する。ヘッダ領域１０ａは所定のアドレスから開始し、色数データ領域１０ｂの先頭アドレスを示す色数ヘッダと、糸色コード領域１０ｃの先頭アドレスを示す糸色コードヘッダと、２値表示データ領域１０ｄの先頭アドレスを示す２値表示データヘッダと、縫製データ領域１０ｅの先頭アドレスを示す縫製データヘッダとがこの順で記録されている。また、ヘッダ領域１０ａには、２値表示データ領域１０ｄに含まれる刺繍模様１〜刺繍模様Ｎのそれぞれに対するデータ部分の先頭アドレスが各刺繍模様ごとに順次記録されている。
【００４９】
色数データ領域１０ｂには、各刺繍模様ごとに使用する糸色の数を示す色数データが順次記録されている。すなわち、縫製の個々の手順には１つの糸色が用いられるので、色数データは縫製手順に対応して表示すべき部分模様の個数に対応することになる。よって、実際の縫製の際には、刺繍模様に対応する縫製データを用いた縫製処理がそれぞれの糸色ごとに行われて、一体化された全体の刺繍模様が完成することになる。
【００５０】
糸色コード領域１０ｃには、各刺繍模様についての部分模様ごとに使用する糸色を示す糸色コードが順次記録されている。すなわち、色数データ領域１０ｂの色数データが示す糸色の数だけの糸色を特定する必要があるので、実際の糸色をコード化した糸色コードに対応づけたものである。なお、本実施形態では６４色の糸色が設定可能となっており、糸色コードは８ビットで表現される。
【００５１】
２値表示データ領域１０ｄには、各刺繍模様ごとにモノクロ表示に用いる２値表示データが順次記録されている。上述したように、表示すべき刺繍模様としては、縫製により一体化された全体模様と個々の糸色に対応する部分模様の２通りがある。よって、刺繍模様１〜刺繍模様Ｎについて、一の全体模様に対応する全体模様２値表示データと、複数の部分模様に対応する部分２値表示データが記録されることになる。これら各２値表示データは各画素に１ビット（２値）を割り当てたビットマップデータとなっている。
【００５２】
この部分２値表示データには、上述のように部分模様に対応する表示データ部分に加えて、この部分模様に関連する補助情報の表示データ部分を含んでいる。例えば、部分模様の糸色識別表示、縫製順序、縫製時間などの補助情報がある。これらは部分模様と共に表示され、使用者に部分模様についての有用な情報を視覚的に把握させることができる。なお、より詳しくは後述する。
【００５３】
縫製データ領域１０ｅには、各刺繍模様について加工布に縫製処理を施す際の縫針１の移動を示す縫製データが順次記録されている。この縫製データにおいては、一の糸色に対して縫針１の１針ごとの針落ち位置がＸＹ座標に従って順次記述され、これを読み取ることによりキャリッジ３の移動制御を行うことができる。また、縫製データには、糸色に対応する部分模様ごとの区切りを示すコードやデータの終了を示すコードなどが含まれている。
【００５４】
以上のようなデータ構造を有する外部ＲＯＭカード１０を、本実施形態に係るカラー表示可能な刺繍ミシンのカードスロット６に挿入することにより読み取り可能となる。本来、この外部ＲＯＭカード１０はモノクロ表示対応であるため、そのままでは２値表示データを用いたモノクロ表示しか行えない。そこで、本実施形態では、後述するように、表示すべき刺繍模様について、２値表示データ領域１０ｄに記録されている部分２値表示データに対して後述の処理を行い、刺繍模様をカラー表示することにしている。
【００５５】
次に、本実施形態に係る刺繍ミシンにおいて行われる刺繍模様の表示処理について、図４乃至図７を参照して説明する。
【００５６】
図４は、ＣＰＵ１１により実行される刺繍ミシンの動作を示すフローチャートである。図４に示すように、刺繍ミシンにおける処理が開始されると、ステップＳ１では各種イニシャル処理が行われる。このイニシャル処理は、表示処理、縫製処理等を行うのに先立って、各メモリ、ＬＣＤパネル７、各モータなどの動作に必要な初期設定を行うものである。
【００５７】
ステップＳ２では、外部ＲＯＭカード１０にて選択可能な複数の刺繍模様について、刺繍模様カラー表示データを生成して、ＬＣＤパネル７に刺繍模様選択画面として表示する。すなわち、複数の選択可能な刺繍模様から使用者が縫製しようとする刺繍模様をこの画面上で選択させるためにカラー表示するものである。
【００５８】
図５は、刺繍模様選択画面の表示例を示す図である。図５に示す刺繍模様選択画面は、複数ページに渡って表示される刺繍模様のうち、全部で２３種類の刺繍模様が一のページに表示されている画面を示す。これら各刺繍模様は縫製の糸色に対応してカラー表示され、実際に加工布に形成される刺繍模様に合致したイメージになっている。
【００５９】
なお、図５に示す刺繍模様選択画面に表示される刺繍模様に対応する刺繍模様カラー表示データは、２値表示データ領域１０ｄに記録される部分２値表示データに基づいて生成されるが、詳細な処理方法については後述する。
【００６０】
再び図４に戻って、ステップＳ３では、刺繍ミシンの使用者により刺繍模様が選択されたか否かを判断する。すなわち、図５において、使用者は刺繍模様選択画面を見ながら所望の刺繍模様をＬＣＤパネル７に一体化されたタッチパネル７ａに触れて選び出し、最後に「選択」キーを押して選択確定する。なお、表示されているページに所望の刺繍模様がない場合は、「前ページ」キー及び「次ページ」を押してページを変えることができる。
【００６１】
ステップＳ３の判断の結果、特定の刺繍模様が選択された場合には（ステップＳ３；ＹＥＳ）、ステップＳ４に移行し、選択されていない場合には（ステップＳ３；ＮＯ）、ステップＳ３を繰り返し、使用者によって刺繍模様が選択されるのを待つ。ステップＳ４では、ステップＳ３において選択された刺繍模様について、上記刺繍模様カラー表示データを生成して、ＬＣＤパネル７に刺繍模様確認画面として表示する。すなわち、使用者が選択された刺繍模様の縫製を行う際に、刺繍模様を確認すると共に必要な作業を支援するための表示である。
【００６２】
図６は、刺繍模様確認画面の表示例を示す図である。図６に示す刺繍模様確認画面には、左上に選択された刺繍模様が表示されていると共に、その下に各糸色ごとの部分模様が左から縫製順に表示されている。左上の刺繍模様は用いる糸色全てに対応してカラー表示され、部分模様はそれぞれの糸色に対応する一色づつでカラー表示される。また、図６の刺繍模様確認画面上には、部分模様に関連して縫製に必要となる各種の補助情報が表示されている。
【００６３】
図６の例では、上述した「象」の刺繍模様が選択された場合を示している。左上には「象」全体の刺繍模様が多色にて表示されている。各部分模様としては、最初に縫製される「象の顔の部分」の部分模様と、次いで縫製される「象の帽子部分」の部分模様と、最後に縫製される「象の顔及び帽子の輪郭」の部分模様が表示される。
【００６４】
また、部分模様の上には、縫製順を示す番号が補助情報として表示されている。左から縫製順に部分模様が並んでいることがわかる。
【００６５】
更に、部分模様の下には、各部分模様に使用される糸色を識別するための糸色名称が補助情報として表示されている。糸色名称は、左から順にエメラルドグリーン、ウスムラサキ、ウスアカムラサキとなっている。そして、上記３つの部分模様の画面上における色が、この３つの糸色に合致した状態になるようなカラー表示と対応している。
【００６６】
再び図４に戻って、ステップＳ５では、選択された刺繍模様を用いて縫製を開始するか否かを判断する。実際には、使用者によりスタート／ストップボタン９が押されることにより縫製が開始されるので、スタート／ストップボタン９の入力を監視して判断すればよい。ステップＳ５の判断の結果、縫製が開始される場合は（ステップＳ５；ＹＥＳ）、ステップＳ６に移行し、縫製がまだ開始されない場合は（ステップＳ５；ＮＯ）、ステップＳ１０に移行する。
【００６７】
ステップＳ６では、ＣＰＵ１１からの制御信号に基づきメインモータ１５の駆動を開始する。次いで、ステップＳ７では、選択した刺繍模様を加工布に形成するための縫製処理を行う。この縫製処理に際しては、外部ＲＯＭカード１０の縫製データ領域１０ｅから、刺繍模様に対応する縫製データを読み出して、これに基づき針落ち位置ごとのキャリッジ３のＸ、Ｙ方向の移動量が制御される。
【００６８】
ステップＳ８では、ＣＰＵ１１に対する縫製処理の停止要求の有無を判断する。例えば、縫製処理中に使用者によりスタート／ストップボタン９が押されることによりＣＰＵ１１に停止要求が出され、縫製処理は終了する。ステップＳ８の判断の結果、縫製処理の停止要求があった場合は（ステップＳ８；ＹＥＳ）、ステップＳ９に移り、停止要求がない場合は（ステップＳ８；ＮＯ）、ステップＳ７の縫製処理を継続する。
【００６９】
ステップＳ９では、ＣＰＵ１１からの制御信号に基づきメインモータ１５の駆動を停止する。その後、ステップＳ５に戻って選択中の刺繍模様に対する縫製処理の再開、あるいはそれ以外の処理が行われるのを待つ。
【００７０】
一方、ステップＳ５からステップＳ１０に移行すると、上記刺繍模様確認画面の右下の「戻る」キーが押されたか否かを判断する。この「戻る」キーを押すと、そのとき表示されている画面の前に表示されていた画面に戻るので、刺繍模様選択画面が再度表示されることになる。ステップＳ１０の判断の結果、「戻る」キーが押された場合は（ステップＳ１０；ＹＥＳ）、ステップＳ２に移ってそれ以降の刺繍模様選択画面表示の処理を再度行い、「戻る」キーが押されていない場合は（ステップＳ１０；ＮＯ）、ステップＳ１１に移る。
【００７１】
ステップＳ１１では、「戻る」キー以外のキーが押されたか否か判断する。その結果、何らかのキーが押された場合は（ステップＳ１１；ＹＥＳ）、ステップＳ１２でそのキーに対応した処理を行う。例えば、加工布に対する刺繍模様のレイアウトを設定する「レイアウト」キーや、刺繍ミシンの機能説明を表示させる「ヘルプ」キーなどのキーがある。一方、ステップＳ１１の判断の結果、キーが押されていない場合は（ステップＳ１１；ＮＯ）、ステップＳ１２は実行されない。ステップＳ１１又はステップＳ１２の処理を終えると、ステップＳ５に戻って縫製処理の開始を待つ。
【００７２】
次に、図７は、上記ステップＳ４の刺繍模様確認画面の表示処理について、より詳しく説明したフローチャートである。なお、ここで説明する刺繍模様表示カラーデータの生成処理と表示処理については、上記ステップＳ２の刺繍模様選択画面において個々の刺繍模様を表示する場合にも同様の処理が行われる。
【００７３】
図７に示す処理が開始されると、ステップＳ２１において必要な初期設定を行う。例えば、選択された刺繍模様について最初の糸色から始めるように設定する。
【００７４】
ステップＳ２２では、外部ＲＯＭカード１０の２値表示データ領域１０ｄから対応する部分２値表示データを読み出す。
【００７５】
ステップＳ２３では、ステップＳ２２で読み出した部分２値表示データを３つのデータに分離してそれぞれを抽出する。すなわち、図６の刺繍模様確認画面上に表示される本来の部分模様に対応する部分模様データと、補助情報としての糸色識別表示に対応する糸色名称データと、補助情報としての縫製順序に対応する縫製順データの３つである。
【００７６】
これら３つのデータは、ビットマップデータとしての部分２値表示データの全体領域において、分離の際の切断位置が予め一律に座標データとして設定されている。つまり、Ｙ軸上で０から０≦Ｙ＜Ｙ１の範囲が縫製順データ、Ｙ１≦Ｙ＜Ｙ２の範囲が部分模様データ、Ｙ２≦Ｙ＜Ｙ３の範囲が糸色名称データとなる位置関係にあり、これら所定のＹ１、Ｙ２がそれぞれ切断座標データに相当する。このように、Ｙ方向で分離可能であることは図６の表示からも明らかである。従って、Ｙ＝Ｙ１、Ｙ＝Ｙ２の切断座標で部分２値表示データを分離すれば、上述の３つのデータを抽出することが可能である。
【００７７】
次いで、ステップＳ２４では、ステップＳ２３にて抽出された糸色名称データを元に糸色判定処理を行う。例えば、ＲＯＭ１３に選択可能な糸色についての糸色名称データに対応するビットマップデータが格納されるデータテーブルを設け、これと比較して一致する場合のビットマップデータに対応する糸色を判定結果とすればよい。この場合、同一の糸色に対しては、部分２値表示データに含まれる糸色名称データの部分と、データテーブルに格納されるデータとが同一のデータ内容となるよう設定しておく必要がある。
【００７８】
なお、上述の外部ＲＯＭデータ１０の糸色コード領域１０ｃに記録される糸色コードを読み出しても、同様に糸色の判定を行える。しかし、実際には、常に表示データとセットで糸色コードが得られるとは限らないので、このような場合でも糸色が判断可能となるように、上述のような糸色判定処理について説明した。
【００７９】
ステップＳ２５では、ステップＳ２３で抽出した部分模様データをカラー表示データに変換する。具体的には、部分２値表示データのそれぞれの画素データは２値で表されるので、これを、ステップＳ２４で判定された糸色に対応して所定の色情報を有する多値の画素データに変換すればよい。全ての画素について変換を行えば、糸色に対応する部分模様カラー表示データが得られる。例えば、各画素に１ビット割り当てた部分模様データを、各画素に８ビット程度を割り当てたビットマップデータに変換すればよい。
【００８０】
ステップＳ２６では、ステップＳ２５で得られた部分模様に対するカラー表示データと、ステップＳ２３で抽出された縫製順データ、糸色名称データを、刺繍模様確認画面上の所定の表示位置に表示処理する。具体的には、図６に示すように、上から縫製順データ、部分模様に対するカラー表示データ、糸色名称データの順で表示される。このとき、部分模様データのみカラー化された状態で、ステップＳ２３で分離される以前の位置関係となるよう表示位置を設定する。
【００８１】
なお、刺繍模様確認画面上において、縫製順データと糸色名称データの表示色は、糸色とは無関係に予め設定された特定の色に設定すればよい。これにより、部分模様と補助情報が容易に区別されるので、縫製順と糸色名称の視認性を高めることができる。また、縫製順データと糸色名称データに設定された表示色を白又は黒に設定すれば、更に見やすくなり、一層視認性を高めることができる。
【００８２】
ステップＳ２７では、部分模様に対応してステップＳ２５で得られたカラー表示データから、全体模様カラー表示を生成するための合成処理を行う。すなわち、刺繍模様確認画面に表示すべき刺繍模様カラー表示データを生成する際に、部分模様に対するカラー表示データを縫製順に従って重ね合わせるものである。
【００８３】
なお、ステップＳ２７において、処理が先行するカラー表示データに対し、後続のカラー表示データの特定の表示領域が重なる場合には、上書きすればよい。すなわち、縫製処理では刺繍を形成する際、縫製済みの糸に対し、後に使用する糸が上に重なるのが通常であるため、ステップＳ２７で縫製順に順次上書きを行えば、加工布に形成される刺繍に合致した刺繍模様カラー表示データが得られる。なお、表示領域が重ならない場合は、上書きを行う必要はない。
【００８４】
ステップＳ２８では、一の刺繍模様についての全ての糸色に対してステップＳ２２乃至ステップＳ２７の処理終えたか否かを判断する。その結果、全ての糸色に対し処理を終えている場合は（ステップＳ２８；ＹＥＳ）処理を終え、まだ処理すべき糸色が残っている場合は（ステップＳ２８；ＮＯ）、ステップＳ２９に移行する。
【００８５】
ステップＳ２９では、次に処理すべき糸色の設定を行う。現在、一の刺繍模様についてｉ番目の糸色について処理を行ったのであれば、次はｉ＋１番目の糸色について処理を行えばよい。その後、ステップＳ２２に移行して、上述したような処理を継続する。
【００８６】
ステップＳ２１乃至ステップＳ２９の処理を行うことにより、図６に示すように、選択された刺繍模様と、この刺繍模様ついての糸色ごとの部分模様と、部分模様に関連する種々の補助情報が順次カラー表示される。
【００８７】
なお、ステップＳ２３では、切断座標データがＹ＝Ｙ１、Ｙ２のように簡単な直線で表せる場合を説明したが、直線以外の複雑な形状で各データ部分を切断するためのデータとしてもよい。また、切断座標データが固定値として設定されている場合を説明したが、切断座標データを可変設定できるようにして、刺繍模様とその部分模様の種類に応じて異なる切断座標データが設定されるようにしてもよい。
【００８８】
また、上述の例では、部分２値表示データに付加される補助情報として、糸色識別表示と縫製順序とが表示される場合を説明したが、これ以外の補助情報が表示されるようにしてもよい。例えば、部分模様ごとの縫製時間を補助情報として表示してもよい。
【００８９】
このように、本実施形態に係る刺繍ミシンによれば、カラー表示可能なＬＣＤパネル７を搭載し、モノクロ表示対応の外部ＲＯＭカード１０から読み出した多数の刺繍模様について、部分２値表示データから部分模様データを抽出してカラー表示データに変換すると共に、これらを合成処理して全体の刺繍模様カラー表示データを得るようにした。そして、刺繍模様選択画面、刺繍模様確認画面をカラー表示するようにしたので、使用者は出来上がりの刺繍模様のイメージに基づいて所望の刺繍模様を選び出すことができると共に、糸色ごとの縫製処理に伴う作業を円滑に行うことができる。これに加えて、刺繍模様に関連する補助情報を視覚的に把握することが可能となる。
【００９０】
一方、カラー表示対応の外部ＲＯＭカードを用いる場合は、上述の処理を行うまでもなく、記録されているカラー表示データを読み出して、そのまま表示に用いることができる。しかし、本実施形態のように、モノクロ表示対応の外部ＲＯＭカード１０を利用可能にしておけば、既存のデータが有効活用されるので経済的かつ合理的であり、刺繍模様のバリエーションも増加する。
【００９１】
なお、上述の実施形態では、刺繍模様についてカラー表示処理に対応させる場合の処理を説明したが、これ以外にも、刺繍模様について３値以上の多値データを用いた表示処理に対応させる場合であっても本発明の適用が可能である。例えば、多値表示データに対応して濃淡に差がある階調表現を含んだ表示を行いたい場合であっても、表示画面における違いを除き、上述の実施形態と同様の構成及び処理にて本発明の適用が可能である。
【００９２】
また、上述の実施形態に係る外部ＲＯＭカード１０には、刺繍データとして表示データ以外の色数データ、糸色コード、縫製データを含む場合について説明したが、これらのデータ全てが刺繍データに必ずしも含まれる必要はない。すなわち、色数データは縫製データの区切りを示すコードから検出することが可能である。また、既に述べたように糸色コードが含まれなくても、部分２値表示データに基づいて糸色の判定を行うことができる。更に、縫製データは各刺繍模様の部分模様の表示データに基づいて生成してもよい。
【００９３】
また、上述の実施形態では、外部ＲＯＭカード１０を刺繍ミシンのカードスロット６に挿入して刺繍データを読み取る場合を説明したが、外部ＲＯＭカード１０を着脱自在な専用の読み取り装置を刺繍データ処理装置に接続して、読み取った刺繍データを刺繍データ処理装置に転送するようにしてもよい。あるいは、刺繍データ処理装置をネットワーク接続して、刺繍データをネットワーク経由で取得するようにしてもよい。更に、外部ＲＯＭカード１０として、コンピュータ読み取り可能なフロッピーディスク、ＣＤ−ＲＯＭ、ＤＶＤ−ＲＯＭ等の記録媒体に刺繍データを記録させて用いてもよい。
【００９４】
また、上述の実施形態では、刺繍模様の表示処理と縫製処理を共に行う刺繍ミシンの場合について説明を行ったが、これに限られず、刺繍模様の縫製処理を行わずに主に表示処理を行う刺繍データ処理装置あるいは刺繍模様表示装置に対しても本発明の適用が可能である。この場合には、刺繍データに対する表示処理を行う刺繍データ処理装置あるいは刺繍模様表示装置に縫製処理を行う縫製装置を接続して構成すれば、表示された刺繍模様を加工布に縫製することができる。例えば、刺繍データ処理装置としてのパーソナルコンピュータを用いて刺繍模様の表示処理を行うソフトウェアを起動するようにしてもよい。
【００９５】
【発明の効果】
請求項１、又は２に記載の発明によれば、部分模様の２値表示データの糸色識別表示に対応する部分に基づいて糸色を判定するようにしたので、部分模様２値表示データ中に部分模様に対応する糸色データが存在しない場合でも、補助情報の糸色識別２値表示データから糸色識別表示に対応する糸色を判断でき、糸色データに制約されず豊富なカラー表現で刺繍模様表示が行われる。また、糸色データに制約されず豊富なカラー表現で刺繍模様の視認性を高めることができる。
【００９６】
【００９７】
請求項３に記載の発明によれば、部分２値表示データを合成する際、互いに表示領域が重なる部分を、縫製順に順次上書きするようにしたので、簡易な処理を用いて実際の縫製に適合した刺繍模様表示が可能となる。
【００９８】
請求項４に記載の発明によれば、外部記録媒体に記録される刺繍データを読み取り、表示処理を行うようにしたので、多様なデータを供給可能となり、多数の刺繍模様を視認して所望の刺繍模様を容易に選択可能となる。
【００９９】
請求項５に記載の発明によれば、刺繍模様表示装置自体又は周辺装置に着脱される記録媒体、ネットワーク接続される記録媒体から刺繍データを読み取り表示処理を行うようにしたので、データの入手経路は多様となり、利用可能な刺繍模様のバリエーションを増加させることができる。
【０１００】
請求項６に記載の発明によれば、ビットマップデータを用いて画素ごとに２値から多値への変換を行うようにしたので、単純な処理を用いて簡易に刺繍模様をカラー表示させることができる。
【０１０１】
請求項７に記載の発明によれば、２値表示データに対し予め設定された切断座標データに従い、部分模様２値表示データを切り出し抽出するようにしたので、簡易な処理を用いて２値表示データから不要な補助情報を除外し、刺繍模様のカラー表示処理を容易に行うことができる。
【０１０２】
請求項８に記載の発明によれば、複数の刺繍模様表示データを並べた刺繍模様選択画面と、選択された刺繍模様を表示する刺繍模様確認画面をカラー表示するようにしたので、使用者は所望の刺繍模様を容易に選び出すことができ、縫製手順や糸色を視覚的に確認することが可能となる。
【０１０３】
請求項９に記載の発明によれば、選択された刺繍模様についての各部分模様を関連の補助情報と共に刺繍模様確認画面上に表示するようにしたので、縫製処理における有用な情報が視覚的に把握可能となる。
【０１０４】
請求項１０に記載の発明は、補助情報として部分模様についての糸色識別表示を含ませたので、部分模様ごとに縫製に用いる糸色を一見して明確に把握可能となる。
【０１０５】
請求項１１に記載の発明は、補助情報として部分模様についての縫製順序を示す表示を含ませたので、部分模様ごとに縫製する際の順番を容易に把握可能となる。
【０１０６】
請求項１２に記載の発明は、補助情報として部分模様についての縫製時間を示す表示を含ませたので、部分模様ごとに縫製に要する時間を一見して明確に認識可能となる。
【０１０７】
請求項１３に記載の発明は、一の刺繍模様を構成する全ての部分模様についての補助情報を同色で表示するようにしたので、部分模様と補助情報を明確に区別することができる。
【０１０８】
請求項１４に記載の発明は、一の刺繍模様を構成する全ての部分模様についての補助情報を白又は黒の一方で表示するようにしたので、補助情報が見やすくなり、しかも部分模様と明確に区別することができる。
【０１０９】
請求項１５に記載の発明によれば、カラー表示可能な液晶表示装置を用いて刺繍模様をカラー表示するようにしたので、良好な画質で刺繍模様を視認でき、小型化、低消費電力化に好適な刺繍データ処理装置を提供することができる。
【図面の簡単な説明】
【図１】  本発明の実施形態に係る刺繍ミシンの外観図である。
【図２】  本発明の実施形態に係る刺しゅうミシンのハードウェア構成を示すブロック図である。
【図３】  刺繍データが記録された外部ＲＯＭカードのデータ構造を示す図である。
【図４】  本発明の実施形態に係る刺繍ミシンの動作を示すフローチャートである。
【図５】  ＬＣＤパネルに表示される刺繍模様選択画面の表示例を示す図である。
【図６】  ＬＣＤパネルに表示される刺繍模様確認画面の表示例を示す図である。
【図７】  刺繍模様確認画面の表示処理を示すフローチャートである。
【符号の説明】
１…縫針
２…刺繍枠
３…キャリッジ
４…ボディ
５…電源スイッチ
６…カードスロット
７…ＬＣＤパネル
７ａ…タッチパネル
８…スタート／ストップボタン
９…針上下ボタン
１０…外部ＲＯＭカード
１０ａ…ヘッダ領域
１０ｂ…色数データ領域
１０ｃ…糸色コード領域
１０ｄ…２値表示データ領域
１０ｅ…縫製データ領域
１１…ＣＰＵ
１２…ＲＡＭ
１３…ＲＯＭ
１４…各種キー
１５…メインモータ
１６…Ｘ方向パルスモータ
１７…Ｙ方向パルスモータ
【図１】
0003716636.tif 000002
【図２】
0003716636.tif 000003
【図３】
0003716636.tif 000004
【図４】
0003716636.tif 000005
【図５】
0003716636.tif 000006
【図６】
0003716636.tif 000007
【図７】
0003716636.tif 000008